(57)【要約】  本願の複数の実施形態は無線通信制御方法および装置を提供する。方法は、無線ネットワークデバイスが、端末により送信される第１プローブ要求フレームを第１の周波数帯域において受信し、端末により送信される第２プローブ要求フレームを第２の周波数帯域において受信する段階と、端末の信号送信強度がプリセット強度より大きい場合に無線ネットワークデバイスが第１の送信電力で第１プローブ要求フレームに優先的に応答する段階と、端末の信号送信強度がプリセット強度より小さい場合に無線ネットワークデバイスが、第２の送信電力で第２プローブ要求フレームに優先的に応答する段階と、を備え、第１の周波数帯域における非オーバーラップチャネルの数は第２の周波数帯域における非オーバーラップチャネルの数より小さく、第１の周波数帯域における無線ネットワークデバイスの第１の送信電力は第２の周波数帯域における無線ネットワークデバイスの第２の送信電力より小さい。本願の複数の実施形態は、比較的少数の非オーバーラップチャネルを含む動作周波数帯域内での同一チャネル干渉を低減する。
2017516352.tif 000002
【特許請求の範囲】
【請求項１】
無線ネットワークデバイスが、端末により送信される第１プローブ要求フレームを第１の周波数帯域において受信し、前記端末により送信される第２プローブ要求フレームを第２の周波数帯域において受信する段階と、
前記端末の信号送信強度がプリセット強度より大きい場合に前記無線ネットワークデバイスが第１の送信電力で前記第１プローブ要求フレームに優先的に応答する段階と、
前記端末の前記信号送信強度が前記プリセット強度より小さい場合に前記無線ネットワークデバイスが第２の送信電力で前記第２プローブ要求フレームに優先的に応答する段階と、
を備え、
前記第１の周波数帯域における非オーバーラップチャネルの数は前記第２の周波数帯域における非オーバーラップチャネルの数より小さく、前記第１の周波数帯域における前記無線ネットワークデバイスの前記第１の送信電力は第２の周波数帯域における前記無線ネットワークデバイスの前記第２の送信電力より小さい無線通信制御方法。
【請求項２】
前記端末の信号送信強度がプリセット強度より大きい場合に前記無線ネットワークデバイスが前記第１の送信電力で前記第１プローブ要求フレームに優先的に応答する前記段階は、
前記端末の前記信号送信強度が前記プリセット強度より大きく、前記第１の周波数帯域における前記無線ネットワークデバイスの負荷が第１のプリセット閾値より小さい場合に前記無線ネットワークデバイスが前記第１の送信電力で前記第１プローブ要求フレームに応答する段階を有する請求項１に記載の方法。
【請求項３】
前記端末の前記信号送信強度が前記プリセット強度より小さい場合に前記無線ネットワークデバイスが前記第２の送信電力で前記第２プローブ要求フレームに優先的に応答する前記段階は、前記端末の前記信号送信強度が前記プリセット強度より小さく、前記第２の周波数帯域における前記無線ネットワークデバイスの負荷が第２のプリセット閾値より小さい場合に前記無線ネットワークデバイスが前記第２の送信電力で前記第２プローブ要求フレームに応答する段階を有する請求項１または２に記載の方法。
【請求項４】
前記第１の周波数帯域における前記無線ネットワークデバイスの前記負荷が前記第１のプリセット閾値より大きいかこれに等しく、前記第２の周波数帯域における前記無線ネットワークデバイスの前記負荷が前記第２のプリセット閾値より小さいときに、前記無線ネットワークデバイスの前記第１の周波数帯域に接続された複数の端末の中から、前記第２の周波数帯域をサポートし、その信号送信強度が最小の端末を選択して当該端末をオフラインにする段階と、
前記第２の周波数帯域における前記無線ネットワークデバイスの前記負荷が前記第２のプリセット閾値より大きいかこれに等しく、前記第１の周波数帯域における前記無線ネットワークデバイスの前記負荷が前記第１のプリセット閾値より小さいときに、前記無線ネットワークデバイスの前記第２の周波数帯域に接続された複数の端末の中から、前記第１の周波数帯域をサポートし、その信号送信強度が最大の端末を選択して当該端末をオフラインにする段階と、
をさらに備え、
前記無線ネットワークデバイスが、端末により送信される第１プローブ要求フレームを第１の周波数帯域において受信し、前記端末により送信される第２プローブ要求フレームを第２の周波数帯域において受信する前記段階の後に、
当該方法は、
前記端末が前記第１の周波数帯域においてオフラインにされた端末であるときに、前記第２プローブ要求フレームに応答する段階と、
前記端末が前記第２の周波数帯域においてオフラインにされた端末であるときに、前記第１プローブ要求フレームに応答する段階と、
をさらに備える請求項１から３の何れか一項に記載の方法。
【請求項５】
無線ネットワークデバイスが、端末により送信される第１プローブ要求フレームを第１の周波数帯域において受信する前記段階の後に、前記端末により前記第２の周波数帯域において送信される前記第２プローブ要求フレームがプリセット期間内に受信されないときに、
当該方法は、
前記端末の前記信号送信強度が前記プリセット強度より小さい場合に前記第１プローブ要求フレームに第３の送信電力で応答する段階をさらに備え、
前記第３の送信電力は前記第１の送信電力より大きい請求項１から４の何れか一項に記載の方法。
【請求項６】
端末により送信される第１プローブ要求フレームを第１の周波数帯域において受信するよう構成された第１受信モジュールと、
前記端末により送信される第２プローブ要求フレームを第２の周波数帯域において受信するよう構成された第２受信モジュールと、
前記端末の信号送信強度がプリセット強度より大きい場合に前記第１プローブ要求フレームに前記第１の送信電力で優先的に応答するよう構成された第１応答モジュールと、
前記端末の前記信号送信強度が前記プリセット強度より小さい場合に前記第２プローブ要求フレームに前記第２の送信電力で優先的に応答するよう構成された第２応答モジュールと、
を備え、
前記第１の周波数帯域における非オーバーラップチャネルの数は、前記第２の周波数帯域における非オーバーラップチャネルの数より小さく、
前記第１の送信電力は前記第２の送信電力より小さい無線通信制御装置。
【請求項７】
前記第１応答モジュールは、前記端末の前記信号送信強度が前記プリセット強度より大きく、前記第１の周波数帯域における負荷が第１のプリセット閾値より小さい場合に前記第１プローブ要求フレームに前記第１の送信電力で応答するよう特に構成される、請求項６に記載の装置。
【請求項８】
前記第２応答モジュールは、前記端末の前記信号送信強度が前記プリセット強度より小さく、前記第２の周波数帯域における負荷が第２のプリセット閾値より小さい場合に前記第２プローブ要求フレームに前記第２の送信電力で応答するよう特に構成される、請求項６または７に記載の装置。
【請求項９】
前記第１の周波数帯域における前記負荷が前記第１のプリセット閾値より大きいかこれに等しく、前記第２の周波数帯域における前記負荷が前記第２のプリセット閾値より小さいときに、前記第１の周波数帯域に接続された複数の端末の中から、前記第２の周波数帯域をサポートし、その信号送信強度が最小の端末を選択して当該端末をオフラインにするよう構成された第１のプット‐オフラインモジュールと、
前記第２の周波数帯域における前記負荷が前記第２のプリセット閾値より大きいかこれと等しく、前記第１の周波数帯域における前記負荷が前記第１のプリセット閾値より小さいときに、前記第２の周波数帯域に接続された複数の端末の中から、前記第１の周波数帯域をサポートし、その信号送信強度が最大の端末を選択して当該端末をオフラインにするよう構成された第２のプット‐オフラインモジュールと、
前記第１受信モジュールが前記端末の前記第１プローブ要求フレームを受信し前記第２受信モジュールが前記端末の前記第２プローブ要求フレームを受信するときに、前記端末が前記第１の周波数帯域においてオフラインにされた端末である場合に、前記第２プローブ要求フレームに応答するよう構成された第３応答モジュールと、
前記第１受信モジュールが前記端末の前記第１プローブ要求フレームを受信し前記第２受信モジュールが前記端末の前記第２プローブ要求フレームを受信するときに、前記端末が前記第２の周波数帯域においてオフラインにされた端末である場合に、前記第１プローブ要求フレームに応答するよう構成された第４応答モジュールと、
をさらに備える請求項６から８の何れか１項に記載の装置。
【請求項１０】
前記第１受信モジュールが、前記端末により送信された前記第１プローブ要求フレームを前記第１の周波数帯域において受信した後に、前記第２受信モジュールが前記端末により前記第２の周波数帯域において送信された前記第２プローブ要求フレームをプリセット期間内に受信しないときに、前記端末の前記信号送信強度が前記プリセット強度より小さい場合に前記第１プローブ要求フレームに第３の送信電力で応答するよう構成された第５応答モジュールをさらに備え、
前記第３の送信電力は前記第１の送信電力より大きい、請求項６から９の何れか１項に記載の装置。
【発明の詳細な説明】
【技術分野】
【０００１】
本願は２０１４年３月２６日に中国特許庁に出願された「無線通信制御方法および装置」と題する中国特許出願第２０１４１０１１８０８９．１号に対する優先権を主張し、これは参照により本明細書に完全に組み込まれる。
【０００２】
本願は通信技術の分野、具体的には無線通信制御方法および装置に関する。
【背景技術】
【０００３】
既存の無線ローカルエリアネットワークにおいて複数の動作周波数帯域は、主に２．４ギガヘルツ（English：gigahertz、シンボル：ＧＨｚ）および５ＧＨｚに分類され、各周波数帯域は複数のチャネルに分割される。端末が無線ネットワークデバイスと無線通信を行うとき、端末は当該端末でサポートされる各動作周波数帯域においてプローブ要求（English：Probe Request）フレームを送信し得、プローブ要求フレームを受信した後に無線ネットワークデバイスは動作周波数帯域のプローブ要求フレームに応答して当該動作周波数帯域において端末にプローブ応答（English：Probe Response）フレームを送信し、プローブ応答フレームを受信した後に端末は当該動作周波数帯域を使用することによって無線ネットワークデバイスと無線通信を行うことができる。
【０００４】
先行技術において、無線ネットワークデバイスがプローブ要求フレームに応答する動作周波数帯域は、動作周波数帯域における無線ネットワークデバイスの負荷状態に従って決定される。
【０００５】
しかしながら、複数の異なる動作周波数帯域は異なる数の非オーバーラップチャネルを含む。非オーバーラップチャネルは、別のチャネルとオーバーラップしないチャネルを示す。比較的少数の非オーバーラップチャネルを含む動作周波数帯域では、端末が無線ネットワークデバイスと無線通信を行うときに、同一チャネル干渉が比較的深刻である。
【発明の概要】
【課題を解決するための手段】
【０００６】
本願は、比較的少数の非オーバーラップチャネルを含む動作周波数帯域における同一チャネル干渉を低減する無線通信制御方法および装置を提供する。
【０００７】
前述の目的を達成するべく、本願は以下の複数の技術的解決手段を提供する。
【０００８】
第１の側面によれば、
無線ネットワークデバイスが、端末により送信される第１プローブ要求フレームを第１の周波数帯域において受信し、端末により送信される第２プローブ要求フレームを第２の周波数帯域において受信する段階と、
端末の信号送信強度がプリセット強度より大きい場合に無線ネットワークデバイスが第１の送信電力で第１プローブ要求フレームに優先的に応答する段階と、
端末の信号送信強度がプリセット強度より小さい場合に無線ネットワークデバイスが、第２の送信電力で第２プローブ要求フレームに優先的に応答する段階と、
を備え、
第１の周波数帯域における非オーバーラップチャネルの数は第２の周波数帯域における非オーバーラップチャネルの数より小さく、
第１の周波数帯域における無線ネットワークデバイスの第１の送信電力は第２の周波数帯域における無線ネットワークデバイスの第２の送信電力より小さい無線通信制御方法が提供される。
【０００９】
第１の側面の第１の可能な実施態様においては、端末の信号送信強度がプリセット強度より大きい場合に無線ネットワークデバイスが第１の送信電力で第１プローブ要求フレームに優先的に応答する段階は、端末の信号送信強度がプリセット強度より大きく、第１の周波数帯域における無線ネットワークデバイスの負荷が第１のプリセット閾値より小さい場合に無線ネットワークデバイスが第１の送信電力で第１プローブ要求フレームに応答する段階を有する。
【００１０】
第１の側面、または第１の側面の第１の可能な実施態様に関連して、第１の側面の第２の可能な実施態様においては、端末の信号送信強度がプリセット強度より小さい場合に無線ネットワークデバイスが第２の送信電力で第２プローブ要求フレームに優先的に応答する段階は、端末の信号送信強度がプリセット強度より小さく、第２の周波数帯域における無線ネットワークデバイスの負荷が第２のプリセット閾値より小さい場合に無線ネットワークデバイスが第２の送信電力で第２プローブ要求フレームに応答する段階を有する。
【００１１】
第１の側面、第１の側面の第１の可能な実施態様、および、第１の側面の第２の可能な実施態様の何れか１つに関連して、第１の側面の第３の可能な実施態様においては、
当該方法は、
第１の周波数帯域における無線ネットワークデバイスの負荷が第１のプリセット閾値より大きいかこれに等しく、第２の周波数帯域における無線ネットワークデバイスの負荷が第２のプリセット閾値より小さいときに、無線ネットワークデバイスの第１の周波数帯域に接続された複数の端末の中から、第２の周波数帯域をサポートし、その信号送信強度が最小の端末を選択して当該端末をオフラインにする段階と、
第２の周波数帯域における無線ネットワークデバイスの負荷が第２のプリセット閾値より大きいかこれに等しく、第１の周波数帯域における無線ネットワークデバイスの負荷が第１のプリセット閾値より小さいときに、無線ネットワークデバイスの第２の周波数帯域に接続された複数の端末の中から、第１の周波数帯域をサポートし、その信号送信強度が最大の端末を選択して当該端末をオフラインにする段階と、
をさらに備え、
無線ネットワークデバイスが、端末により送信される第１プローブ要求フレームを第１の周波数帯域において受信し、端末により送信される第２プローブ要求フレームを第２の周波数帯域において受信する段階の後に、
当該方法は、
端末が第１の周波数帯域においてオフラインにされた端末であるときに、第２プローブ要求フレームに応答する段階と、
端末が第２の周波数帯域においてオフラインにされた端末であるときに、第１プローブ要求フレームに応答する段階と、
をさらに備える。
【００１２】
第１の側面と、第１の側面の第１の可能な実施態様から第３の可能な実施態様とのうち何れか１つに関連して、第１の側面の第４の可能な実施態様においては、無線ネットワークデバイスが、端末により送信される第１プローブ要求フレームを第１の周波数帯域において受信する段階の後に、端末により第２の周波数帯域において送信される第２プローブ要求フレームがプリセット期間内に受信されないときに、
当該方法は、
端末の信号送信強度がプリセット強度より小さい場合に第１プローブ要求フレームに第３の送信電力で応答する段階をさらに備え、
第３の送信電力は第１の送信電力より大きい。
【００１３】
第２の側面によれば、
端末により送信される第１プローブ要求フレームを第１の周波数帯域において受信するよう構成された第１受信モジュールと、
端末により送信される第２プローブ要求フレームを第２の周波数帯域において受信するよう構成された第２受信モジュールと、
端末の信号送信強度がプリセット強度より大きい場合に第１プローブ要求フレームに第１の送信電力で優先的に応答するよう構成された第１応答モジュールと、
端末の信号送信強度がプリセット強度より小さい場合に第２プローブ要求フレームに第２の送信電力で優先的に応答するよう構成された第２応答モジュールと、
を備え、
第１の周波数帯域における非オーバーラップチャネルの数は、第２の周波数帯域における非オーバーラップチャネルの数より小さく、
第１の送信電力は第２の送信電力より小さい無線通信制御装置が提供される。
【００１４】
第２の側面の第１の可能な実施態様においては、第１応答モジュールは、端末の信号送信強度がプリセット強度より大きく、第１の周波数帯域における負荷が第１のプリセット閾値より小さい場合に第１プローブ要求フレームに第１の送信電力で応答するよう特に構成される。
【００１５】
第２の側面、または第２の側面の第１の可能な実施態様に関連して、第２の側面の第２の可能な実施態様においては、第２応答モジュールは、端末の信号送信強度がプリセット強度より小さく、第２の周波数帯域における負荷が第２のプリセット閾値より小さい場合に第２プローブ要求フレームに第２の送信電力で応答するよう特に構成される。
【００１６】
第２応答モジュールは、端末の信号送信強度がプリセット強度より小さく、第２の周波数帯域における負荷が第２のプリセット閾値より小さい場合に第２プローブ要求フレームに第２の送信電力で応答するよう特に構成される。
【００１７】
第２の側面、第２の側面の第１の可能な実施態様、および第２の側面の第２の可能な実施態様のうち何れか１つに関連して、第２の側面の第３の可能な実施態様においては、
当該装置は、
第１の周波数帯域における負荷が第１のプリセット閾値より大きいかこれに等しく、第２の周波数帯域における負荷が第２のプリセット閾値より小さいときに、第１の周波数帯域に接続された複数の端末の中から、第２の周波数帯域をサポートし、その信号送信強度が最小の端末を選択して当該端末をオフラインにするよう構成された第１のプット‐オフラインモジュールと、
第２の周波数帯域における負荷が第２のプリセット閾値より大きいかこれと等しく、第１の周波数帯域における負荷が第１のプリセット閾値より小さいときに、第２の周波数帯域に接続された複数の端末の中から、第１の周波数帯域をサポートし、その信号送信強度が最大の端末を選択して当該端末をオフラインにするよう構成された第２のプット‐オフラインモジュールと、
第１受信モジュールが端末の第１プローブ要求フレームを受信し第２受信モジュールが端末の第２プローブ要求フレームを受信するときに、端末が第１の周波数帯域においてオフラインにされた端末である場合に、第２プローブ要求フレームに応答するよう構成された第３応答モジュールと、
第１受信モジュールが端末の第１プローブ要求フレームを受信し第２受信モジュールが端末の第２プローブ要求フレームを受信するときに、端末が第２の周波数帯域においてオフラインにされた端末である場合に、第１プローブ要求フレームに応答するよう構成された第４応答モジュールと、
をさらに備える。
【００１８】
第２の側面、および第２の側面の第１の可能な実施態様から第３の可能な実施態様のうち何れか１つに関連して、第２の側面の第４の可能な実施態様においては、当該装置は、第１受信モジュールが、端末により送信された第１プローブ要求フレームを第１の周波数帯域において受信した後に、第２受信モジュールが端末により第２の周波数帯域において送信された第２プローブ要求フレームをプリセット期間内に受信しないときに、端末の信号送信強度がプリセット強度より小さい場合に第１プローブ要求フレームに第３の送信電力で応答するよう構成された第５応答モジュールをさらに備え、
第３の送信電力は第１の送信電力より大きい。
【００１９】
要するに、本願は無線通信制御方法および装置を提供する。無線ネットワークデバイスは、端末により送信される第１プローブ要求フレームを第１の周波数帯域において受信し、端末により送信される第２プローブ要求フレームを第２の周波数帯域において受信し、第１の周波数帯域における非オーバーラップチャネルの数は第２の周波数帯域における非オーバーラップチャネルの数より小さく、第１の周波数帯域における無線ネットワークデバイスの第１の送信電力は第２の周波数帯域における無線ネットワークデバイスの第２の送信電力より小さい。これにより、第１の周波数帯域における無線ネットワークデバイスのカバレッジは第２の周波数帯域における無線ネットワークデバイスのカバレッジより小さい。端末の信号送信強度がプリセット強度より小さいとき、すなわち、端末が無線ネットワークデバイスから比較的遠く離れているときに、無線ネットワークデバイスは第２プローブ要求フレームに優先的に応答する。端末の信号送信強度がプリセット強度より大きいとき、すなわち、端末が無線ネットワークデバイスに比較的近いときに、無線ネットワークデバイスは第１プローブ要求フレームに優先的に応答する。第１の周波数帯域は比較的少数の非オーバーラップチャネルを含むので、第１の周波数帯域内の同じチャネルを用いる無線ネットワークデバイス間の距離は短い。第１の周波数帯域における無線ネットワークデバイスの送信電力は小さく、このことは無線ネットワークデバイス間での同一チャネル干渉を低減するのを助ける。加えて、第２の周波数帯域における十分に大きなカバレッジは、ユーザが無線ローカルエリアネットワークを標準的に（normally）用いることを保証する。
【図面の簡単な説明】
【００２０】
本願の複数の実施形態における技術的解決手段をより明確に説明すべく、実施形態の説明に必要な添付図面を以下に簡潔に説明する。以下の説明における添付図面は本願の複数の実施形態を示すに過ぎないことは明らかであり、当業者は創造的な取り組みなしに、これらの添付図面から他の図面をさらに導き出すであろう。
【００２１】
【図１】本願の実施形態に係る無線通信制御方法の実施形態のフローチャートである。
【００２２】
【図２】本願の実施形態に係る無線通信制御方法の別の実施形態のフローチャートである。
【００２３】
【図３】本願の実施形態に係る無線通信制御装置の実施形態の概略構造図である。
【００２４】
【図４】本願の実施形態に係る無線通信制御装置の別の実施形態の概略構造図である。
【００２５】
【図５】本願の実施形態に係る無線ネットワークデバイスの実施形態の概略構造図である。
【発明を実施するための形態】
【００２６】
以下では、本願の複数の実施形態における添付図面に関連し、本願の複数の実施形態における複数の技術的解決手段が明確に説明される。説明される実施形態は本願の複数の実施形態のすべてではなく、一部に過ぎないことは明らかである。創造的な取り組み無しに本願の複数の実施形態に基づいて当業者により取得されるすべての他の実施形態は、本願の保護範囲内に属することとなる。
【００２７】
本願の複数の実施形態は、以下のことを備える。すなわち、無線ネットワークデバイスは、端末により送信される第１プローブ要求フレームを第１の周波数帯域において受信し、端末により送信される第２プローブ要求フレームを第２の周波数帯域において受信する。第１の周波数帯域における非オーバーラップチャネルの数は第２の周波数帯域における非オーバーラップチャネルの数より小さく、第１の周波数帯域における無線ネットワークデバイスの第１の送信電力は第２の周波数帯域における無線ネットワークデバイスの第２の送信電力より小さい。端末の信号送信強度がプリセット強度より小さいとき、すなわち、端末が無線ネットワークデバイスから比較的遠く離れているときに、無線ネットワークデバイスは第２プローブ要求フレームに優先的に応答する。端末の信号送信強度がプリセット強度より大きいとき、すなわち、端末が無線ネットワークデバイスに比較的近いときに、無線ネットワークデバイスは第１プローブ要求フレームに優先的に応答する。第１の周波数帯域は比較的少数の非オーバーラップチャネルを含むので、第１の周波数帯域内の同じチャネルを用いる無線ネットワークデバイス間の距離は短い。第１の周波数帯域における無線ネットワークデバイスの送信電力は小さく、このことは無線ネットワークデバイス間での同一チャネル干渉を低減するのを助ける。加えて、第２の周波数帯域における十分に大きなカバレッジは、ユーザが無線ローカルエリアネットワークを標準的に用い得ることを保証する。
【００２８】
本願の技術的解決手段は添付図面に関連して以下で詳細に説明される。
【００２９】
図１は、本願の実施形態に係る無線通信制御方法の実施形態のフローチャートである。方法は以下の段階を備え得る。
【００３０】
１０１：無線ネットワークデバイスが、端末により送信される第１プローブ要求フレームを第１の周波数帯域において受信し、当該端末により送信される第２プローブ要求フレームを第２の周波数帯域において受信する。
【００３１】
第１の周波数帯域における非オーバーラップチャネルの数は第２の周波数帯域における非オーバーラップチャネルの数より小さい。
【００３２】
端末は複数の周波数帯域をサポートすることができ、第１の周波数帯域および第２の周波数帯域はそれら複数の周波数帯域のうちの任意の２つの周波数帯域であってよい。
【００３３】
本願の本実施形態において、少なくとも、第１の周波数帯域をサポートする無線周波数モジュール（English：radio frequency module、略してＲＦモジュール）と、第２の周波数帯域をサポートする無線周波数モジュールとが無線ネットワークデバイス内に構成され、これにより、それぞれ第１の周波数帯域および第２の周波数帯域からの複数の信号を受信する。
【００３４】
無線ネットワークデバイスとは、無線ローカルエリアネットワークシステムにおける無線アクセスポイント（English：access point、略してＡＰ）を指してよい。
【００３５】
無線ローカルエリアネットワーク（English：wireless local area networks、略してＷＬＡＮ）において、複数の動作周波数帯域は、主に２．４ＧＨおよび５ＧＨｚに分類される。本願の本実施形態において、第１の周波数帯域は２．４ＧＨｚの動作周波数帯域を指してよく、第２の周波数帯域は５ＧＨｚの動作周波数帯域を指してよい。
【００３６】
ＷＬＡＮ内の２．４ＧＨｚ周波数帯域において、非オーバーラップチャネルの数は３である。種々の国々の法の規定によれば、５ＧＨｚの周波数帯域において非オーバーラップチャネルの数は概して１０または２０を超え、２．４ＧＨｚ周波数帯域における非オーバーラップチャネルの数よりはるかに大きい。
【００３７】
プローブ要求フレームは、端末が事前にスキャンを行うときに送信される信号（signaling）である。第１プローブ要求フレームは第１の周波数帯域において端末により送信されるプローブ要求フレームであり、第２プローブ要求フレームは第２の周波数帯域において端末により送信されるプローブ要求フレームである。無線ネットワークデバイス内における、第１の周波数帯域をサポートする無線周波数モジュールと、第２の周波数帯域をサポートする無線周波数モジュールとは、それぞれ第１プローブ要求フレームおよび第２プローブ要求フレームを受信し得る。
【００３８】
１０２：端末の信号送信強度がプリセット強度より大きい場合に、無線ネットワークデバイスは、第１プローブ要求フレームに第１の送信電力で優先的に応答する。
【００３９】
１０３：端末の信号送信強度がプリセット強度より小さい場合に、無線ネットワークデバイスは、第２プローブ要求フレームに第２の送信電力で優先的に応答する。
【００４０】
第１の周波数帯域における無線ネットワークデバイスの第１の送信電力は第２の周波数帯域における無線ネットワークデバイスの第２の送信電力より小さく、これにより第１の周波数帯域における無線ネットワークデバイスのカバレッジは第２の周波数帯域における無線ネットワークデバイスのカバレッジより小さい。
【００４１】
第１の周波数帯域における無線ネットワークデバイスのカバレッジは第１の周波数帯域における無線ネットワークデバイスの信号強度が特定の閾値より大きいエリアを示す。第２の周波数帯域における無線ネットワークデバイスのカバレッジは、第２の周波数帯域における無線ネットワークデバイスの信号強度が特定の閾値より大きいエリアを示す。
【００４２】
端末の信号送信強度がプリセット強度に等しい場合、無線ネットワークデバイスは第１プローブ要求フレームに第１の送信電力で優先的に応答するか、第２プローブ要求フレームに第２の送信電力で優先的に応答してよい。
【００４３】
第１プローブ要求フレームに優先的に応答することは、第１プローブ要求フレームに直接応答すること、または、特定条件下で第１プローブ要求フレームに応答することを含む。
【００４４】
第２プローブ要求フレームに優先的に応答することは、第２プローブ要求フレームに直接応答すること、または、特定条件下で第２プローブ要求フレームに応答することを含む。
【００４５】
第１プローブ要求フレームに応答することは、第１の周波数帯域において端末にプローブ応答フレームを送信することを含み、第２プローブ要求フレームに応答することは、第２の周波数帯域において端末にプローブ応答フレームを送信することを含む。
【００４６】
端末の信号送信強度は、第１プローブ要求フレームの信号強度または第２プローブ要求フレームの信号強度を具体的に指してよい。第１プローブ要求フレームの信号強度および第２第２プローブ要求フレームの信号強度はそれぞれ異なるプリセット強度に対応する。
【００４７】
端末の信号送信強度は、第１プローブ要求フレームまたはＲＳＳＩ（English：received signal strength indicator、略して第２プローブ要求フレームの受信信号強度インジケータ）に従って決定されてよい。
【００４８】
第１の周波数帯域における非オーバーラップチャネルの数は第２の周波数帯域における非オーバーラップチャネルの数より小さく、従って、第１の周波数帯域における同じチャネルを用いる無線ネットワークデバイス間の距離は比較的短く、第１の周波数帯域における同一チャネル干渉は比較的深刻である。第１の周波数帯域が２．４ＧＨｚの動作周波数帯域であり、第２の周波数帯域が５ＧＨｚの動作周波数帯域である例が用いられる。２．４ＧＨｚの動作周波数帯域における非オーバーラップチャネルの数は、５ＧＨｚの動作周波数帯域における非オーバーラップチャネルの数より小さい。２．４ＧＨｚの動作周波数帯域において、同じチャネルを用いる無線ネットワークデバイス間の距離は隣接する無線ネットワークデバイス間の距離の１．７３２倍である。５ＧＨｚの動作周波数帯域において、アメリカでは、同じチャネルを用いる無線ネットワークデバイス間の距離は、隣接する無線ネットワークデバイス間の距離の少なくとも２．６５倍であり、またはより計画が練られたネットワークにおいてはより大きい。従って、２．４ＧＨｚの動作周波数帯域において、同一チャネル干渉は比較的深刻である。
【００４９】
本実施形態において、第１の周波数帯域における無線ネットワークデバイスの第１の送信電力は小さく、このことは無線ネットワークデバイス間での同一チャネル干渉を低減させるのを助ける。加えて、端末の信号送信強度がプリセット強度より小さいとき、すなわち、端末が無線ネットワークデバイスから比較的遠く離れているとき、無線ネットワークデバイスは第２プローブ要求フレームに優先的に応答し、端末の信号送信強度がプリセット強度より大きいとき、すなわち、端末が無線ネットワークデバイスに比較的近いとき、無線ネットワークデバイスは第１プローブ要求フレームに優先的に応答する。第２の周波数帯域における第２の送信電力が第１の送信電力より大きいので、第２の周波数帯域における無線ネットワークデバイスのカバレッジはより大きい。従って、比較的遠い端末は無線ネットワークデバイスの第２の周波数帯域に接続され得、このことはユーザが無線ローカルエリアネットワークを標準的に用いることを保証する。
【００５０】
無線ネットワークデバイスは、第１の周波数帯域における第１の送信電力および第２の周波数帯域における第２の送信電力を事前設定し得、これにより第１の周波数帯域におけるカバレッジは第２の周波数帯域におけるカバレッジより小さい。可能な実施態様において、障害物がない場合に、第２の送信電力と第１の送信電力との間の差は、ほぼ６デシベル（English：decibel、略してｄＢ）である。この場合、第１の周波数帯域におけるカバレッジは第２の周波数帯域におけるカバレッジのほぼ半分であり、第２の周波数帯域におけるカバレッジ内であり、このことは、可能な実施態様では第１の周波数帯域における同一チャネル干渉をさらに低減しうる。
【００５１】
本願の本実施形態において、端末と無線ネットワークデバイスとの間の距離は端末の信号送信強度とプリセット強度との比較の結果に従って決定され得る。無線ネットワークデバイスに比較的近い端末に対し、無線ネットワークデバイスは第１プローブ応答フレームで優先的に応答し、無線ネットワークデバイスから比較的遠く離れた端末に対し、無線ネットワークデバイスは第２プローブ応答フレームで優先的に応答する。
【００５２】
他の可能な実施態様において、端末と無線ネットワークデバイスとの間の距離は、端末の信号の時間遅延に従って決定されうる。端末の受信信号の時間遅延がプリセット値より大きいとき、端末が無線ネットワークデバイスから比較的遠く離れていると判断され得、従って、無線ネットワークデバイスは第１プローブ応答フレームで優先的に応答する。端末の受信信号の時間遅延がプリセット値より小さいとき、端末が無線ネットワークデバイスに比較的近いと判断され得、従って、無線ネットワークデバイスは第２プローブ応答フレームで優先的に応答する。
【００５３】
図１に示される実施形態において、段階１０２では、端末の信号送信強度がプリセット強度より大きい場合に無線ネットワークデバイスが第１の送信電力で第１プローブ要求フレームに優先的に応答する段階は、端末の信号送信強度がプリセット強度より大きく、第１の周波数帯域における無線ネットワークデバイスの負荷が第１のプリセット閾値より小さい場合に第１の送信電力で第１プローブ要求フレームに応答する段階を有してよい。
【００５４】
すなわち、第１プローブ要求フレームに第１の送信電力で優先的に応答する段階の可能な実施態様は、端末の信号送信強度がプリセット強度より大きく、第１の周波数帯域における無線ネットワークデバイスの負荷が第１のプリセット閾値より小さいときに第１の送信電力で第１プローブ要求フレームに応答する段階である。
【００５５】
このように、第１の周波数帯域における無線ネットワークデバイスの負荷は、通信品質を保証するための制限を超えず、第１の周波数帯域における同一チャネル干渉は低減される。
【００５６】
加えて、図１に示される実施形態において、段階１０３では、端末の信号送信強度がプリセット強度より小さい場合に無線ネットワークデバイスが第２プローブ要求フレームに第２の送信電力で優先的に応答する段階は、端末の信号送信強度がプリセット強度より小さく、第１の周波数帯域における無線ネットワークデバイスの負荷が第１のプリセット閾値より大きい場合に第２プローブ要求フレームに第２の送信電力で応答する段階を有してよい。
【００５７】
すなわち、第２のプローブ要求に第２の送信電力で優先的に応答する段階の可能な実施態様は、端末の信号送信強度がプリセット強度より小さく、第２の周波数帯域における無線ネットワークデバイスの負荷が第２のプリセット閾値より小さいときに第２プローブ要求フレームに第２の送信電力で直接応答する段階である。
【００５８】
このように、第２の周波数帯域における無線ネットワークデバイスの負荷は通信品質を保証するための制限を超えず、第２の周波数帯域におけるカバレッジは比較的大きく、これはユーザが無線ローカルエリアネットワークを標準的に用い得ることを保証する。
【００５９】
前述の可能な実施態様においては、第１の周波数帯域における無線ネットワークデバイスの負荷が第１のプリセット閾値より大きく、第２の周波数帯域における無線ネットワークデバイスの負荷が第２のプリセット閾値より小さいときに、無線ネットワークデバイスは、ユーザが無線ローカルエリアネットワークを標準的に用いるということを保証すべく第２プローブ要求フレームに優先的に応答し得る。
【００６０】
第１の周波数帯域における無線ネットワークデバイスの負荷が第１のプリセット閾値より小さく、第２の周波数帯域における無線ネットワークデバイスの負荷が第２のプリセット閾値より大きいときに、無線ネットワークデバイスは、ユーザが無線ローカルエリアネットワークを標準的に用いるということを保証すべく、第１プローブ要求フレームに優先的に応答し得る。
【００６１】
第１の周波数帯域における無線ネットワークデバイスの負荷が第１のプリセット閾値より大きい、または、第２の周波数帯域における無線ネットワークデバイスの負荷が第２のプリセット閾値より大きいときに、通信品質を改善するべく、本願は無線通信制御方法の別の実施形態をさらに提供する。図２に示されるように、方法は以下の段階を含んでよい。
【００６２】
２０１：無線ネットワークデバイスが、端末により送信される第１プローブ要求フレームを第１の周波数帯域において受信し、当該端末により送信される第２プローブ要求フレームを第２の周波数帯域において受信する。
【００６３】
段階２０１は段階１０１と同様であり、本明細書では繰り返し説明しない。
【００６４】
２０２：端末の信号送信強度がプリセット強度より大きい場合に、無線ネットワークデバイスは、第１プローブ要求フレームに第１の送信電力で優先的に応答する。
【００６５】
特に、段階２０２は、端末の信号送信強度がプリセット強度より大きく、第１の周波数帯域における無線ネットワークデバイスの負荷が第１のプリセット閾値より小さい場合に第１の送信電力で第１プローブ要求フレームに応答する段階であってよい。
【００６６】
２０３：端末の信号送信強度がプリセット強度より小さい場合に、第２プローブ要求フレームに第２の送信電力で優先的に応答する。
【００６７】
特に、段階２０３は、端末の信号送信強度がプリセット強度より小さく第２の周波数帯域における無線ネットワークデバイスの負荷が第２のプリセット閾値より小さいときに第２プローブ要求フレームに第２の送信電力で直接応答する段階であってよい。
【００６８】
２０４：第１の周波数帯域における無線ネットワークデバイスの負荷が第１のプリセット閾値より大きく、第２の周波数帯域における無線ネットワークデバイスの負荷が第２のプリセット閾値より小さいときに、無線ネットワークデバイスの第１の周波数帯域に接続された複数の端末の中から、第２の周波数帯域をサポートし、その信号送信強度が最小の端末を選択して当該端末をオフラインにする。
【００６９】
第１の周波数帯域においてオフラインにされた端末は第２の周波数帯域をサポートし得るので、端末は第２の周波数帯域において無線ネットワークデバイスに接続され得る。信号送信強度が最小の端末、すなわち、無線ネットワークデバイスから比較的遠く離れた端末は、第１の周波数帯域においてオフラインにされる端末として優先的に選択される。
【００７０】
２０５：第２の周波数帯域における無線ネットワークデバイスの負荷が第２のプリセット閾値より大きく、第１の周波数帯域における無線ネットワークデバイスの負荷が第１のプリセット閾値より小さいときに、無線ネットワークデバイスの第２の周波数帯域に接続された複数の端末の中から、第１の周波数帯域をサポートし、その信号送信強度が最大の端末を選択して当該端末をオフラインにする。
【００７１】
第２の周波数帯域においてオフラインにされた端末は第１の周波数帯域をサポートし得るので、端末は第１の周波数帯域において無線ネットワークデバイスに接続され得る。信号送信強度が最大の端末、すなわち、無線ネットワークデバイスに比較的近い端末は、第２の周波数帯域においてオフラインにされる端末として優先的に選択される。
【００７２】
無線ネットワークデバイスは、オフラインにされた端末をマークしてよく、例えば、オフライン端末のメディアアクセス制御（English：media access control、略してＭＡＣ）アドレスを記録してよい。オフライン端末が第１の周波数帯域および第２の周波数帯域において別々にプローブ要求フレームを送信するとき、無線ネットワークデバイスは、当該端末が第１の周波数帯域でオフラインにされた端末か第２の周波数帯域でオフラインにされた端末かを記録されたＭＡＣアドレスに従って判断し得、これにより、第２の周波数帯域または第１の周波数帯域におけるオフライン端末により送信されるプローブ要求フレームに直接応答する。
【００７３】
第１の周波数帯域における無線ネットワークデバイスの負荷が第１のプリセット閾値に等しく、第２の周波数帯域における無線ネットワークデバイスの負荷が第２のプリセット閾値より小さいときに、端末をオフラインにするべく、無線ネットワークデバイスの第１の周波数帯域に接続された複数の端末の中から、第２の周波数帯域をサポートし、その信号送信強度が最小の端末が選択されてよい。
【００７４】
第１の周波数帯域における無線ネットワークデバイスの負荷が第１のプリセット閾値より小さく、第２の周波数帯域における無線ネットワークデバイスの負荷が第２のプリセット閾値と等しいときには、端末をオフラインにするべく、無線ネットワークデバイスの第１の周波数帯域に接続された複数の端末から、第２の周波数帯域をサポートし、その信号送信強度が最小の端末が選択されてよい。
【００７５】
従って、本実施形態において、段階２０１では、無線ネットワークデバイスが、端末により送信される第１プローブ要求フレームを第１の周波数帯域において受信し、端末により送信される第２プローブ要求フレームを第２の周波数帯域において受信する段階の後に、当該方法は、以下の段階をさらに有してよい。
【００７６】
２０６：端末が第１の周波数帯域においてオフラインにされた端末であるときに、第２プローブ要求フレームに応答し、第２の送信電力により第２の周波数帯域におけるオフライン端末にプローブ応答フレームを送信する。
【００７７】
２０７：端末が第２の周波数帯域においてオフラインにされた端末であるときに、第１プローブ要求フレームに応答し、第１の送信電力により第１の周波数帯域におけるオフライン端末にプローブ応答フレームを送信する。
【００７８】
本実施形態において、第１の周波数帯域における無線ネットワークデバイスの第１の送信電力は小さく、このことは無線ネットワークデバイス間での同一チャネル干渉を低減するのを助ける。加えて、端末の信号送信強度がプリセット強度より小さいとき、すなわち、端末が無線ネットワークデバイスから比較的遠く離れているとき、無線ネットワークデバイスは第２プローブ要求フレームに優先的に応答し、端末の信号送信強度がプリセット強度より大きいとき、すなわち、端末が無線ネットワークデバイスに比較的近いとき、無線ネットワークデバイスは第１プローブ要求フレームに優先的に応答する。第２の周波数帯域における第２の送信電力が第１の送信電力より大きいので、第２の周波数帯域における無線ネットワークデバイスのカバレッジはより大きい。従って、比較的遠い端末は無線ネットワークデバイスの第２の周波数帯域に接続され得、このことはユーザが無線ローカルエリアネットワークを標準的に用いることを保証する。加えて、無線ネットワークデバイスは第１の周波数帯域および第２の周波数帯域における負荷状態を監視し、これらの周波数帯域のいずれかにおける負荷が制限を超えたときに、無線ネットワークデバイスは他の周波数帯域をサポートする端末を選択して当該端末をオフラインにする。オフラインにされた端末のプローブ要求フレームを受信したときに、無線ネットワークデバイスは、オフラインレコードに従って、オフラインにされた当該端末により他の周波数帯域において送信されたプローブ要求フレームに直接応答し得、それにより、ユーザが無線ローカルエリアネットワークを標準的に用いるということを保証し、無線通信に影響を与えることなく同一チャネル干渉を低減する。
【００７９】
端末は１つの動作周波数帯域のみをサポートし得るので、無線ネットワークデバイスは１つの動作周波数帯域のみにおいて端末のプローブ要求フレームを受信してよい。特に、端末が第１の周波数帯域のみをサポートするときには、端末の信号送信強度がプリセット強度より小さい、すなわち、端末が無線ネットワークデバイスから比較的遠く離れている場合に、無線ローカルエリアネットワークが標準的に使用されうるということを保証すべく、この場合、無線ネットワークデバイスは、第１の周波数帯域において端末により送信された第１プローブ要求フレームに第３の送信電力で応答してよく、すなわち、端末に第３の送信電力でプローブ応答フレームを送信してよい。第３の送信電力は第１の送信電力より大きい。
【００８０】
加えて、通信を行うべく端末が無線ネットワークデバイスに接続されるときに、データ送信電力はまた第１の送信電力より大きくなる必要がある。
【００８１】
無線ネットワークデバイスは、信号受信時間間隔に従って、端末が１つの動作周波数帯域のみをサポートするかどうかを判断しうる。
【００８２】
従って、別の実施形態においては、端末により送信された第１プローブ要求フレームを第１の周波数帯域において無線ネットワークデバイスが受信する段階の後に、端末により第２の周波数帯域において送信された第２プローブ要求フレームがプリセット期間内に受信されないときに、方法は、端末の信号送信強度がプリセット強度より小さいと判断されるときに、第３の送信電力によって第１の周波数帯域においてプローブ応答フレームを端末に送信する段階をさらに備えてよい。
【００８３】
前述の方法の実施形態は、簡略な説明のため一連の動作の組み合わせとして説明されたことに留意されたい。しかしながら、本願によれば、いくつかの段階は別の並びで、または同時に行われ得るので、説明された動作の並びに本願が限定されないことを当業者は認識するべきである。加えて、当業者はまた、本明細書において説明された複数の実施形態はすべて好ましい実施形態に属し、実施形態に含まれる動作およびモジュールは必ずしも本願に必須ではないことを認識するべきである。
【００８４】
図３は、本願の実施形態に係る無線通信制御装置の実施形態の概略構造図である。装置は、第１受信モジュール３０１、第２受信モジュール３０２、第１応答モジュール３０３、および第２応答モジュール３０４を備えてよい。
【００８５】
第１受信モジュール３０１は、端末により送信される第１プローブ要求フレームを第１の周波数帯域において受信するよう構成される。
【００８６】
第２受信モジュール３０２は、端末により送信される第２プローブ要求フレームを第２の周波数帯域において受信するよう構成される。
【００８７】
端末は複数の周波数帯域をサポートすることができ、第１の周波数帯域および第２の周波数帯域は複数の周波数帯域のうちの任意の２つの周波数帯域であってよい。
【００８８】
本願の本実施形態において提供される無線通信制御装置は無線ネットワークデバイスに統合されてよく、無線ネットワークデバイスは無線ローカルエリアネットワークシステムにおけるＡＰを指してよい。
【００８９】
第１受信モジュールは、無線ネットワークデバイス内に構成され第１の周波数帯域をサポートする無線周波数モジュールを使用することにより第１の周波数帯域からの信号を受信してよい。第２受信モジュールは、無線ネットワークデバイス内に構成され第２の周波数帯域をサポートする無線周波数モジュールを使用することにより第２の周波数帯域からの信号を受信してよい。
【００９０】
第１の周波数帯域における非オーバーラップチャネルの数は第２の周波数帯域における非オーバーラップチャネルの数より小さい。
【００９１】
ＷＬＡＮにおいて、複数の動作周波数帯域は主に２．４ＧＨｚおよび５ＧＨｚに分類される。本願の本実施形態において、第１受信モジュールによりサポートされる第１の周波数帯域は２．４ＧＨｚの動作周波数帯域を指してよく、第２受信モジュールによりサポートされる第２の周波数帯域は５ＧＨｚの動作周波数帯域を指してよい。
【００９２】
第１応答モジュール３０３は、端末の信号送信強度がプリセット強度より大きい場合に第１プローブ要求フレームに第１の送信電力で優先的に応答するよう構成される。
【００９３】
第２応答モジュール３０４は、端末の信号送信強度がプリセット強度より小さい場合に、第２プローブ要求フレームに第２の送信電力で優先的に応答するよう構成される。
【００９４】
第１の送信電力は第２の送信電力より小さい。
【００９５】
第１プローブ要求フレームに優先的に応答することは、第１プローブ要求フレームに直接応答すること、または、特定条件下で第１プローブ要求フレームに応答することを含む。
【００９６】
第２プローブ要求フレームに優先的に応答することは、第２プローブ要求フレームに直接応答すること、または、特定条件下で第２プローブ要求フレームに応答することを含む。
【００９７】
第１プローブ要求フレームに応答することは、第１の周波数帯域において端末にプローブ応答フレームを送信することを含み、第２プローブ要求フレームに応答することは、第２の周波数帯域において端末にプローブ応答フレームを送信することを含む。
【００９８】
端末の信号送信強度は、第１プローブ要求フレームの信号強度または第２プローブ要求フレームの信号強度を特に指してよい。第１プローブ要求フレームの信号強度および第２第２プローブ要求フレームの信号強度はそれぞれ異なるプリセット強度に対応する。
【００９９】
第１の周波数帯域における非オーバーラップチャネルの数は第２の周波数帯域における非オーバーラップチャネルの数より小さく、従って、第１の周波数帯域における同じチャネルを用いる無線ネットワークデバイス間の距離は比較的短く、第１の周波数帯域における同一チャネル干渉は比較的深刻である。第１の周波数帯域が２．４ＧＨｚの動作周波数帯域であり、第２の周波数帯域が５ＧＨｚの動作周波数帯域である例が使用される。２．４ＧＨｚの動作周波数帯域における非オーバーラップチャネルの数は、５ＧＨｚの動作周波数帯域における非オーバーラップチャネルの数より小さい。２．４ＧＨｚの動作周波数帯域における非オーバーラップチャネルの数は、５ＧＨｚの動作周波数帯域における非オーバーラップチャネルの数より小さい。２．４ＧＨｚの動作周波数帯域において、同じチャネルを用いる無線ネットワークデバイス間の距離は、隣接チャネルを用いる無線ネットワークデバイス間の距離の１．７３２倍である。５ＧＨｚの動作周波数帯域において、アメリカでは、同じチャネルを用いる無線ネットワークデバイス間の距離は、隣接チャネルを用いる無線ネットワークデバイス間の距離の少なくとも２．６５倍である。従って、２．４ＧＨｚの動作周波数帯域において、同一チャネル干渉は比較的深刻である。
【０１００】
本実施形態において、第１の周波数帯域における第１の送信電力は小さく、このことは無線ネットワークデバイス間での同一チャネル干渉を低減するのを助ける。加えて、端末の信号送信強度がプリセット強度より小さいとき、すなわち、端末が無線ネットワークデバイスから比較的遠く離れているとき、無線ネットワークデバイスは第２プローブ要求フレームに優先的に応答し、端末の信号送信強度がプリセット強度より大きいとき、すなわち、端末が無線ネットワークデバイスに比較的近いとき、無線ネットワークデバイスは第１プローブ要求フレームに優先的に応答する。第２の周波数帯域における第２の送信電力が第１の送信電力より大きいので、第２の周波数帯域における無線ネットワークデバイスのカバレッジはより大きい。従って、比較的遠い端末は第２の周波数帯域に接続され得、このことはユーザが無線ローカルエリアネットワークを標準的に用いることを保証する。
【０１０１】
第１の周波数帯域における第１の送信電力および第２の周波数帯域における第２の送信電力は、第１の周波数帯域における無線ネットワークデバイスのカバレッジが第２の周波数帯域における無線ネットワークデバイスのカバレッジより小さくなるように、それぞれ構成されてよい。可能な実施態様において、障害物がない場合に、第２の送信電力と第１の送信電力との間の差は、ほぼ６ｄＢである。この場合、第１の周波数帯域におけるカバレッジは第２の周波数帯域におけるカバレッジのほぼ半分であり、第２の周波数帯域におけるカバレッジ内であり、可能な実施態様では、これは第１の周波数帯域における同一チャネル干渉をさらに低減しうる。
【０１０２】
本願の本実施形態において、端末と無線ネットワークデバイスとの間の距離は端末の信号送信強度とプリセット強度との比較の結果に従って決定され得る。無線ネットワークデバイスに比較的近い端末に対し、無線ネットワークデバイスは第１プローブ応答フレームで優先的に応答し、無線ネットワークデバイスから比較的遠く離れた端末に対し、無線ネットワークデバイスは第２プローブ応答フレームで優先的に応答する。
【０１０３】
他の可能な実施態様において、端末と無線ネットワークデバイスとの間の距離は、端末の信号の時間遅延に従って決定されうる。端末の受信信号の時間遅延がプリセット値より大きいとき、端末が無線ネットワークデバイスから比較的遠く離れていると判断され得、従って、無線ネットワークデバイスは第１プローブ応答フレームで優先的に応答する。端末の受信信号の時間遅延がプリセット値より小さいとき、端末が無線ネットワークデバイスに比較的近いと判断され得、従って、無線ネットワークデバイスは第２プローブ応答フレームで優先的に応答する。
【０１０４】
第１プローブ要求フレームに第１の送信電力で優先的に応答するための多くの可能な実施態様があり得る。可能な実施態様において、第１応答モジュールは、端末の信号送信強度がプリセット強度より大きく、第１の周波数帯域における負荷が第１のプリセット閾値より小さい場合に第１プローブ要求フレームに第１の送信電力で応答するよう特に構成されうる。
【０１０５】
このように、第１の周波数帯域における無線ネットワークデバイスの負荷は、通信品質を保証するための制限を超えず、第１の周波数帯域における同一チャネル干渉は低減される。
【０１０６】
第２プローブ要求フレームに第２の送信電力で優先的に応答するための多くの可能な実施態様があり得る。可能な実施態様において、第２応答モジュールは、端末の信号送信強度がプリセット強度より小さく、第２の周波数帯域における負荷が第２のプリセット閾値より小さい場合に第２プローブ要求フレームに第２の送信電力で応答するよう特に構成されうる。
【０１０７】
このように、第２の周波数帯域における無線ネットワークデバイスの負荷は通信品質を保証するための制限を超えず、第２の周波数帯域における無線ネットワークデバイスのカバレッジは比較的大きく、これはユーザが無線ローカルエリアネットワークを標準的に用い得ることを保証する。
【０１０８】
前述の可能な実施態様においては、第１の周波数帯域における負荷が第１のプリセット閾値より大きく、第２の周波数帯域における負荷が第２のプリセット閾値より小さいときに、無線ネットワークデバイスは、ユーザが無線ローカルエリアネットワークを標準的に用いるということを保証すべく、第２プローブ要求フレームに優先的に応答し得る。
【０１０９】
第１の周波数帯域における負荷が第１のプリセット閾値より小さく、第２の周波数帯域における負荷が第２のプリセット閾値より大きいときに、無線ネットワークデバイスは、ユーザが無線ローカルエリアネットワークを標準的に用いるということを保証すべく、第１プローブ要求フレームに優先的に応答し得る。
【０１１０】
第１の周波数帯域における負荷が第１のプリセット閾値より大きい、または、第２の周波数帯域における負荷が第２のプリセット閾値より大きいときに、通信品質を改善するべく、本願は無線通信制御装置の別の実施形態をさらに提供する。図４に示されるように、装置は、端末により送信される第１プローブ要求フレームを第１の周波数帯域において受信するよう構成された第１受信モジュール４０１と、端末により送信される第２プローブ要求フレームを第２の周波数帯域において受信するよう構成された第２受信モジュール４０２と、端末の信号送信強度がプリセット強度より大きい場合に、第１プローブ要求フレームに第１の送信電力で優先的に応答するよう構成された第１応答モジュール４０３であって、端末の信号送信強度がプリセット強度より大きく、第１の周波数帯域における負荷が第１のプリセット閾値より小さい場合に第１プローブ要求フレームに第１の送信電力で応答するよう特に構成されうる第１応答モジュールと、端末の信号送信強度がプリセット強度より小さい場合に、第２プローブ要求フレームに第２の送信電力で優先的に応答するよう構成された第２応答モジュール４０４であって、端末の信号送信強度がプリセット強度より小さく、第２の周波数帯域における負荷が第２のプリセット閾値より小さい場合に第２プローブ要求フレームに第２の送信電力で応答するよう特に構成され得、第１の送信電力が第２の送信電力より小さい第２応答モジュールと、第１の周波数帯域における負荷が第１のプリセット閾値より大きいかこれに等しく、第２の周波数帯域における負荷が第２のプリセット閾値より小さいときに、第１の周波数帯域に接続された複数の端末の中から、第２の周波数帯域をサポートし、その信号送信強度が最小の端末を選択して当該端末をオフラインにするよう構成された第１のプット‐オフラインモジュール４０５と、第２の周波数帯域における負荷が第２のプリセット閾値より大きいかこれと等しく、第１の周波数帯域における負荷が第１のプリセット閾値より小さいときに、第２の周波数帯域に接続された複数の端末の中から、第１の周波数帯域をサポートし、その信号送信強度が最大の端末を選択して当該端末をオフラインにするよう構成された第２のプット‐オフラインモジュール４０６と、第１受信モジュールが端末の第１プローブ要求フレームを受信し第２受信モジュールが端末の第２プローブ要求フレームを受信するときに、端末が第１の周波数帯域においてオフラインにされた端末である場合に、第２プローブ要求フレームに応答するよう構成された第３応答モジュール４０７と、第１受信モジュールが端末の第１プローブ要求フレームを受信し第２受信モジュールが端末の第２プローブ要求フレームを受信するときに、端末が第２の周波数帯域においてオフラインにされた端末である場合に、第１プローブ要求フレームに応答するよう構成された第４応答モジュール４０８と、を備えてよい。
【０１１１】
本実施形態において、第１の送信電力は小さく、このことは無線ネットワークデバイス間での同一チャネル干渉を低減するのを助ける。加えて、端末の信号送信強度がプリセット強度より小さいとき、すなわち、端末が無線ネットワークデバイスから比較的遠く離れているとき、無線ネットワークデバイスは第２プローブ要求フレームに優先的に応答し、端末の信号送信強度がプリセット強度より大きいとき、すなわち、端末が無線ネットワークデバイスに比較的近いとき、無線ネットワークデバイスは第１プローブ要求フレームに優先的に応答する。第２の周波数帯域における第２の送信電力が第１の送信電力より大きいので、第２の周波数帯域における無線ネットワークデバイスのカバレッジはより大きい。従って、比較的遠い端末は第２の周波数帯域に接続され得、このことはユーザが無線ローカルエリアネットワークを標準的に用いることを保証する。加えて、第１の周波数帯域および第２の周波数帯域における負荷状態が監視されてよく、これらの周波数帯域のいずれかにおける負荷が制限を超えたときには、他の周波数帯域をサポートする端末が選択されてオフラインにされる。オフラインにされた端末のプローブ要求フレームを受信したときには、無線ネットワークデバイスは、オフラインレコードに従って、オフラインにされた当該端末により他の周波数帯域において送信されたプローブ要求フレームに直接応答し得、それにより、ユーザが無線ローカルエリアネットワークを標準的に用いるということを保証し、通信品質に影響を与えることなく同一チャネル干渉を低減する。
【０１１２】
端末は１つの動作周波数帯域のみをサポートし得るので、端末のプローブ要求フレームは１つの動作周波数帯域のみにおいて受信されてよい。特に、端末が第１の周波数帯域のみをサポートするときには、端末の信号送信強度がプリセット強度より小さい、すなわち、端末が無線ネットワークデバイスから比較的遠く離れている場合に、無線ローカルエリアネットワークが標準的に使用されうるということを保証すべく、この場合、装置は、第１の周波数帯域において端末により送信された第１プローブ要求フレームに第３の送信電力で応答してよく、すなわち、端末に第３の送信電力でプローブ応答フレームを送信してよい。第３の送信電力は第１の送信電力より大きい。
【０１１３】
加えて、通信を行うべく端末が無線ネットワークデバイスに接続されるときに、データ送信電力はまた第１の送信電力より大きくなる必要がある。
【０１１４】
端末が１つの動作周波数帯域のみをサポートするかどうかが信号受信時間間隔に従って判断され得る。
【０１１５】
従って、別の実施形態において、無線通信制御装置は、第１受信モジュールが、端末により送信された第１プローブ要求フレームを第１の周波数帯域において受信した後に、第２受信モジュールが端末により第２の周波数帯域において送信された第２プローブ要求フレームをプリセット期間内に受信しないときに、端末の信号送信強度がプリセット強度より小さい場合に第１プローブ要求フレームに第３の送信電力で応答するよう構成された第５応答モジュールをさらに備えてよく、第３の送信電力は第１の送信電力より大きい。
【０１１６】
実際の適用において、前述の実施形態における無線通信制御装置は無線ネットワークデバイスに統合されてよく、無線ネットワークデバイスはＷＬＡＮシステムにおけるＡＰであってよい。無線ネットワークデバイスは少なくとも第１の周波数帯域および第２の周波数帯域をサポートし、少なくとも、第１の周波数帯域をサポートする無線周波数モジュールと、第２の周波数帯域をサポートする無線周波数モジュールとが無線ネットワークデバイス内に配置され、これにより、それぞれ第１の周波数帯域および第２の周波数帯域からの複数の信号を受信する。
【０１１７】
第１の周波数帯域における無線ネットワークデバイス間での同一チャネル干渉は、本願の本実施形態における無線通信制御装置で内の無線ネットワークデバイスの配置によって低減されうる。
【０１１８】
本願がソフトウェアおよび必要な一般的ハードウェアプラットフォームによって実施されうることを当業者が明確に理解し得ることは、前述の説明から学習され得る。従って、図５を参照することにより、本願の実施形態はさらに無線ネットワークデバイスを提供する。無線ネットワークデバイスは、少なくとも第１無線周波数モジュール５０１、第２無線周波数モジュール５０２、メモリ５０３およびプロセッサ５０４を備える。第１無線周波数モジュール５０１、第２無線周波数モジュール５０２およびメモリ５０３はプロセッサ５０４に別々に接続される。
【０１１９】
メモリ５０３はプログラム命令の一セットを格納する。メモリは、例えばランダムアクセスメモリ（English：random-access memory、略してＲＡＭ）などの揮発性メモリ（English：volatile memory）、または、例えばフラッシュメモリ（English：flash memory）、ハードディスクドライブ（English：hard disk drive、略してＨＤＤ）若しくはソリッドステートドライブ（English：solid-state drive、略してＳＳＤ）などの不揮発性メモリ（English：non-volatile memory）、または、前述のタイプのメモリの組み合わせであってよい。
【０１２０】
プロセッサ５０４はメモリ５０３に格納されたプログラム命令を呼び出して以下の動作を実行するよう構成される。すなわち、プロセッサ５０４は、端末により送信される第１プローブ要求フレームを、第１無線周波数モジュール５０１を使用することにより第１の周波数帯域において受信し、端末により送信される第２プローブ要求フレームを、第２無線周波数モジュール５０２を使用することにより第２の周波数帯域において受信することと、端末の信号送信強度がプリセット強度より大きい場合に無線ネットワークデバイスにより第１の送信電力で第１プローブ要求フレームに優先的に応答することと、端末の信号送信強度がプリセット強度より小さい場合に無線ネットワークデバイスにより第２の送信電力で第２プローブ要求フレームに優先的に応答することとを行う。ここで、第１の周波数帯域における非オーバーラップチャネルの数は第２の周波数帯域における非オーバーラップチャネルの数より小さく、第１の周波数帯域における無線ネットワークデバイスの第１の送信電力は第２の周波数帯域における第２の送信電力より小さい。
【０１２１】
プロセッサは、中央演算処理装置（English：central processing unit、略してＣＰＵ）、またはＣＰＵおよびハードウェアチップの組み合わせであってよい。ハードウェアチップは、特定用途向け集積回路（English：application-specific integrated circuit、略してＡＳＩＣ）、プログラマブル論理デバイス（English：programmable logic device、略してＰＬＤ）、またはこれらの組み合わせであってよい。ＰＬＤは、コンプレックスプログラマブルロジックデバイス（English：complex programmable logic device、略してＣＰＬＤ）、フィールドプログラマブルゲートアレイ（English：field-programmable gate array、略してＦＰＧＡ）、ジェネリックアレイロジック（English：generic array logic、略してＧＡＬ）、またはこれらの任意の組み合わせであってよい。
【０１２２】
本明細書の複数の実施形態は、全て漸進的な態様で説明されているので、複数の実施形態における同一又は類似の複数の部分では、これらの実施形態が参照され得て、それぞれの実施形態は他の複数の実施形態との違いに注目している。複数の実施形態に開示された装置は、複数の実施形態に開示された方法に対応するので、比較的単純に説明されており、方法のものに関連する複数の部分については、方法の説明への参照が行われてよい。
【０１２３】
説明を容易にするべく、前述の装置は複数の機能を様々なユニットに分割することで説明されている。もちろん、本願が実施されるときに、各ユニットの機能は、ソフトウェアおよび／またはハードウェアの１又は複数のピースに実装されてよい。
【０１２４】
本願がソフトウェアおよび必要な一般的ハードウェアプラットフォームによって実施されうることを当業者が明確に理解し得ることは、前述の実施態様の説明から学習され得る。そのような理解に基づき、本願の複数の技術的解決手段の本質、または先行技術に対して貢献する一部分は、ソフトウェア製品の形で具現されてよい。コンピュータソフトウェア製品は記憶媒体に格納されてよい。記憶媒体は非一時的（English：non-transitory）媒体であり、ランダムアクセスメモリ、読み取り専用メモリ、フラッシュメモリ、ハードディスクドライブ、ソリッドステートドライブ、磁気テープ（English：magnetic tape）、フロッピー（登録商標）ディスク（English：floppy（登録商標）disk）、光ディスク（English：optical disc）、またはこれらの任意の組み合わせであってよい。記憶媒体は、本願の複数の実施形態、または複数の実施形態のいくつかの部分において説明される方法をプロセッサに実行させるのに使用される複数の命令を含む。
【０１２５】
上記で開示される複数の実施形態は、当業者が本願を実施または使用することを可能にするべく説明される。複数の実施形態に対する様々な修正が当業者にとって明らかである。従って、本願は本明細書に示された複数の実施形態に限定されず、むしろ特許請求の範囲に従う。
【図１】
2017516352.tif 000003
【図２】
2017516352.tif 000004
【図３】
2017516352.tif 000005
【図４】
2017516352.tif 000006
【図５】
2017516352.tif 000007
【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
無線ネットワークデバイスが、端末により送信される第１プローブ要求フレームを第１の周波数帯域において受信し、前記端末により送信される第２プローブ要求フレームを第２の周波数帯域において受信する段階と、
前記端末の信号送信強度がプリセット強度より大きい場合に前記無線ネットワークデバイスが第１の送信電力で前記第１プローブ要求フレームに優先的に応答する段階と、
前記端末の前記信号送信強度が前記プリセット強度より小さい場合に前記無線ネットワークデバイスが第２の送信電力で前記第２プローブ要求フレームに優先的に応答する段階と、
を備え、
前記第１の周波数帯域における非オーバーラップチャネルの数は前記第２の周波数帯域における非オーバーラップチャネルの数より小さく、前記第１の周波数帯域における前記無線ネットワークデバイスの前記第１の送信電力は第２の周波数帯域における前記無線ネットワークデバイスの前記第２の送信電力より小さい無線通信制御方法。
【請求項２】
前記端末の信号送信強度がプリセット強度より大きい場合に前記無線ネットワークデバイスが前記第１の送信電力で前記第１プローブ要求フレームに優先的に応答する前記段階は、
前記端末の前記信号送信強度が前記プリセット強度より大きく、前記第１の周波数帯域における前記無線ネットワークデバイスの負荷が第１のプリセット閾値より小さい場合に前記無線ネットワークデバイスが前記第１の送信電力で前記第１プローブ要求フレームに応答する段階を有する請求項１に記載の方法。
【請求項３】
前記端末の前記信号送信強度が前記プリセット強度より小さい場合に前記無線ネットワークデバイスが前記第２の送信電力で前記第２プローブ要求フレームに優先的に応答する前記段階は、前記端末の前記信号送信強度が前記プリセット強度より小さく、前記第２の周波数帯域における前記無線ネットワークデバイスの負荷が第２のプリセット閾値より小さい場合に前記無線ネットワークデバイスが前記第２の送信電力で前記第２プローブ要求フレームに応答する段階を有する請求項１または２に記載の方法。
【請求項４】
前記第１の周波数帯域における前記無線ネットワークデバイスの負荷が第１のプリセット閾値より大きいかこれに等しく、前記第２の周波数帯域における前記無線ネットワークデバイスの負荷が第２のプリセット閾値より小さいときに、前記無線ネットワークデバイスの前記第１の周波数帯域に接続された複数の端末の中から、前記第２の周波数帯域をサポートし、その信号送信強度が最小の端末を選択して当該端末をオフラインにする段階と、
前記第２の周波数帯域における前記無線ネットワークデバイスの前記負荷が前記第２のプリセット閾値より大きいかこれに等しく、前記第１の周波数帯域における前記無線ネットワークデバイスの前記負荷が前記第１のプリセット閾値より小さいときに、前記無線ネットワークデバイスの前記第２の周波数帯域に接続された複数の端末の中から、前記第１の周波数帯域をサポートし、その信号送信強度が最大の端末を選択して当該端末をオフラインにする段階と、
をさらに備え、
前記無線ネットワークデバイスが、端末により送信される第１プローブ要求フレームを第１の周波数帯域において受信し、前記端末により送信される第２プローブ要求フレームを第２の周波数帯域において受信する前記段階の後に、
当該方法は、
前記端末が前記第１の周波数帯域においてオフラインにされた端末であるときに、前記第２プローブ要求フレームに応答する段階と、
前記端末が前記第２の周波数帯域においてオフラインにされた端末であるときに、前記第１プローブ要求フレームに応答する段階と、
をさらに備える請求項１から３の何れか一項に記載の方法。
【請求項５】
無線ネットワークデバイスが、端末により送信される第１プローブ要求フレームを第１の周波数帯域において受信する前記段階の後に、前記端末により前記第２の周波数帯域において送信される前記第２プローブ要求フレームがプリセット期間内に受信されないときに、
当該方法は、
前記端末の前記信号送信強度が前記プリセット強度より小さい場合に前記第１プローブ要求フレームに第３の送信電力で応答する段階をさらに備え、
前記第３の送信電力は前記第１の送信電力より大きい請求項１から４の何れか一項に記載の方法。
【請求項６】
端末により送信される第１プローブ要求フレームを第１の周波数帯域において受信するよう構成された第１受信モジュールと、
前記端末により送信される第２プローブ要求フレームを第２の周波数帯域において受信する第２受信モジュールと、
前記端末の信号送信強度がプリセット強度より大きい場合に前記第１プローブ要求フレームに第１の送信電力で優先的に応答する第１応答モジュールと、
前記端末の前記信号送信強度が前記プリセット強度より小さい場合に前記第２プローブ要求フレームに第２の送信電力で優先的に応答する第２応答モジュールと、
を備え、
前記第１の周波数帯域における非オーバーラップチャネルの数は、前記第２の周波数帯域における非オーバーラップチャネルの数より小さく、
前記第１の送信電力は前記第２の送信電力より小さい無線通信制御装置。
【請求項７】
前記第１応答モジュールは、前記端末の前記信号送信強度が前記プリセット強度より大きく、前記第１の周波数帯域における負荷が第１のプリセット閾値より小さい場合に前記第１プローブ要求フレームに前記第１の送信電力で応答するよう特に構成される、請求項６に記載の装置。
【請求項８】
前記第２応答モジュールは、前記端末の前記信号送信強度が前記プリセット強度より小さく、前記第２の周波数帯域における負荷が第２のプリセット閾値より小さい場合に前記第２プローブ要求フレームに前記第２の送信電力で応答するよう特に構成される、請求項６または７に記載の装置。
【請求項９】
前記第１の周波数帯域における負荷が第１のプリセット閾値より大きいかこれに等しく、前記第２の周波数帯域における負荷が第２のプリセット閾値より小さいときに、前記第１の周波数帯域に接続された複数の端末の中から、前記第２の周波数帯域をサポートし、その信号送信強度が最小の端末を選択して当該端末をオフラインにする第１のプット‐オフラインモジュールと、
前記第２の周波数帯域における前記負荷が前記第２のプリセット閾値より大きいかこれと等しく、前記第１の周波数帯域における前記負荷が前記第１のプリセット閾値より小さいときに、前記第２の周波数帯域に接続された複数の端末の中から、前記第１の周波数帯域をサポートし、その信号送信強度が最大の端末を選択して当該端末をオフラインにする第２のプット‐オフラインモジュールと、
前記第１受信モジュールが前記端末の前記第１プローブ要求フレームを受信し前記第２受信モジュールが前記端末の前記第２プローブ要求フレームを受信するときに、前記端末が前記第１の周波数帯域においてオフラインにされた端末である場合に、前記第２プローブ要求フレームに応答する第３応答モジュールと、
前記第１受信モジュールが前記端末の前記第１プローブ要求フレームを受信し前記第２受信モジュールが前記端末の前記第２プローブ要求フレームを受信するときに、前記端末が前記第２の周波数帯域においてオフラインにされた端末である場合に、前記第１プローブ要求フレームに応答する第４応答モジュールと、
をさらに備える請求項６から８の何れか１項に記載の装置。
【請求項１０】
前記第１受信モジュールが、前記端末により送信された前記第１プローブ要求フレームを前記第１の周波数帯域において受信した後に、前記第２受信モジュールが前記端末により前記第２の周波数帯域において送信された前記第２プローブ要求フレームをプリセット期間内に受信しないときに、前記端末の前記信号送信強度が前記プリセット強度より小さい場合に前記第１プローブ要求フレームに第３の送信電力で応答する第５応答モジュールをさらに備え、
前記第３の送信電力は前記第１の送信電力より大きい、請求項６から９の何れか１項に記載の装置。
【手続補正２】
【補正対象書類名】明細書
【補正対象項目名】００３５
【補正方法】変更
【補正の内容】
【００３５】
無線ローカルエリアネットワーク（English：wireless local area networks、略してＷＬＡＮ）において、複数の動作周波数帯域は、主に２．４ＧＨｚおよび５ＧＨｚに分類される。本願の本実施形態において、第１の周波数帯域は２．４ＧＨｚの動作周波数帯域を指してよく、第２の周波数帯域は５ＧＨｚの動作周波数帯域を指してよい。
【手続補正３】
【補正対象書類名】明細書
【補正対象項目名】００４６
【補正方法】変更
【補正の内容】
【００４６】
端末の信号送信強度は、第１プローブ要求フレームの信号強度または第２プローブ要求フレームの信号強度を具体的に指してよい。第１プローブ要求フレームの信号強度および第２プローブ要求フレームの信号強度はそれぞれ異なるプリセット強度に対応する。
【手続補正４】
【補正対象書類名】明細書
【補正対象項目名】００４７
【補正方法】変更
【補正の内容】
【００４７】
端末の信号送信強度は、第１プローブ要求フレームまたは第２プローブ要求フレームの受信信号強度インジケータ（English：received signal strength indicator、略してＲＳＳＩ）に従って決定されてよい。
【手続補正５】
【補正対象書類名】明細書
【補正対象項目名】００９８
【補正方法】変更
【補正の内容】
【００９８】
端末の信号送信強度は、第１プローブ要求フレームの信号強度または第２プローブ要求フレームの信号強度を特に指してよい。第１プローブ要求フレームの信号強度および第２プローブ要求フレームの信号強度はそれぞれ異なるプリセット強度に対応する。
【手続補正６】
【補正対象書類名】明細書
【補正対象項目名】００９９
【補正方法】変更
【補正の内容】
【００９９】
第１の周波数帯域における非オーバーラップチャネルの数は第２の周波数帯域における非オーバーラップチャネルの数より小さく、従って、第１の周波数帯域における同じチャネルを用いる無線ネットワークデバイス間の距離は比較的短く、第１の周波数帯域における同一チャネル干渉は比較的深刻である。第１の周波数帯域が２．４ＧＨｚの動作周波数帯域であり、第２の周波数帯域が５ＧＨｚの動作周波数帯域である例が使用される。２．４ＧＨｚの動作周波数帯域における非オーバーラップチャネルの数は、５ＧＨｚの動作周波数帯域における非オーバーラップチャネルの数より小さい。２．４ＧＨｚの動作周波数帯域において、同じチャネルを用いる無線ネットワークデバイス間の距離は、隣接チャネルを用いる無線ネットワークデバイス間の距離の１．７３２倍である。５ＧＨｚの動作周波数帯域において、アメリカでは、同じチャネルを用いる無線ネットワークデバイス間の距離は、隣接チャネルを用いる無線ネットワークデバイス間の距離の少なくとも２．６５倍である。従って、２．４ＧＨｚの動作周波数帯域において、同一チャネル干渉は比較的深刻である。
【国際調査報告】
2017516352.tif 000008
2017516352.tif 000009
2017516352.tif 000010
2017516352.tif 000011